(57)【要約】【課題】消耗電極アーク溶接において、くびれ検出制御及び溶接電流を一定化する送給速度可変制御を共に動作させたときに溶接状態が不安定になることを抑制する。【解決手段】溶滴のくびれを検出すると溶接電流を減少させてアークを再発生させるくびれ検出制御を行い、溶接電流平滑値Ｉａｖと予め定めた電流設定値とが等しくなるように溶接ワイヤの送給速度Ｆｗをフィードバック制御（送給速度可変制御）して溶接する消耗電極アーク溶接制御方法において、短絡ごとにくびれの検出時点からアークの再発生時点までの時間長さが所定範囲外となる回数を所定周期ごとに計数し、この回数が基準回数以上となったときは、フィードバック制御の過渡応答時間Ｔ１を長くする。これにより、くびれの誤検出が発生したときは、送給速度可変制御の過渡応答時間Ｔ１を長くして、溶接状態が不安定になるのを抑制している。【選択図】  図３
2014024106.tif 000002
【特許請求の範囲】
【請求項１】
短絡状態からアークが再発生する前兆現象である溶滴のくびれを検出し、このくびれを検出すると短絡負荷に通電する溶接電流を減少させた後にアークを再発生させるくびれ検出制御を行い、前記溶接電流の平滑値を検出し、この溶接電流平滑値と予め定めた電流設定値とが等しくなるように溶接ワイヤの送給速度をフィードバック制御して溶接する消耗電極アーク溶接制御方法において、
前記短絡ごとに前記くびれの検出時点から前記アークの再発生時点までのくびれ検出期間を検出し、このくびれ検出期間の時間長さが所定範囲外となる回数を所定周期ごとに計数し、この回数が基準回数以上となったときは、前記フィードバック制御の過渡応答時間を長くする、
ことを特徴とする消耗電極アーク溶接制御方法。
【請求項２】
前記過渡応答時間を、前記フィードバック制御のゲインを変化させることによって設定する、
ことを特徴とする請求項１記載の消耗電極アーク溶接制御方法。
【請求項３】
前記過渡応答時間を、前記溶接電流平滑値の時定数を変化させることによって設定する、
ことを特徴とする請求項１記載の消耗電極アーク溶接制御方法。
【発明の詳細な説明】
【技術分野】
【０００１】
本発明は、溶滴のくびれを検出すると溶接電流を減少させてアークを再発生させるくびれ検出制御及び溶接電流が設定値と等しくなるように送給速度を制御する送給速度可変制御を行って溶接する消耗電極アーク溶接制御方法に関するものである。
【背景技術】
【０００２】
特許文献１の発明では、溶接ワイヤと母材との間でアーク発生状態と短絡状態とを繰り返す消耗電極アーク溶接において、短絡状態からアークが再発生する前兆現象である溶滴のくびれを溶接ワイヤと母材との間の電圧値又は抵抗値の変化がくびれ検出基準値に達したことによって検出し、このくびれを検出すると短絡負荷に通電する溶接電流を急減させて小電流値の状態でアークが再発生するように出力制御している。このようにすると、アーク再発生時の電流値を小さくすることができるので、スパッタ発生量を低減することができる。
【０００３】
特許文献２の発明では、溶接電流と予め定めた電流設定値とが等しくなるように溶接ワイヤの送給速度をフィードバック制御している。通常の消耗電極アーク溶接では、溶接中の送給速度は一定値である。これに対して、特許文献２の発明では、給電チップ・母材間距離が変化しても溶接電流値が一定になるように、送給速度が可変制御される。母材の溶け込み深さは溶接電流値に略比例するので、溶接電流値が一定になると溶け込み深さが均一化される。通常のアーク溶接においては、給電チップ・母材間距離を一定に保持して溶接が行われる。しかし、深い開先の溶接、多層盛り溶接等の場合には、給電チップ・母材間距離を一定値に保持することが、溶接トーチと母材との干渉の問題等から困難な場合も生じる。このように給電チップ・母材間距離が変動する溶接において、特許文献２の発明では、送給速度を可変制御して溶接電流値を一定に維持するので、重要な溶接品質の一つである溶け込み深さの変動を抑制して、均一化することができる。
【先行技術文献】
【特許文献】
【０００４】
【特許文献１】特開２００６−２８１２１９号公報
【特許文献２】特開平７−５１８５４号公報
【発明の概要】
【発明が解決しようとする課題】
【０００５】
上述したくびれ検出制御を行うと共に、上述した送給速度の可変制御を行いながら溶接した場合、送給速度可変制御によって送給速度が急峻に変化すると、それに伴って溶滴のくびれの形成状態が変動するために、くびれ検出制御が誤動作して溶接状態が不安定になるという問題が生じる。このために、従来技術では、送給速度の可変制御を行うときには、くびれ検出制御の動作を禁止していた。しかし、このようにすると、スパッタ発生量が増大するという問題が生じる。
【０００６】
そこで、本発明では、くびれ検出制御及び送給速度可変制御を共に動作させて溶接しても、溶接状態を安定に保つことができる消耗電極アーク溶接制御方法を提供することを目的とする。
【課題を解決するための手段】
【０００７】
上述した課題を解決するために、請求項１の発明は、短絡状態からアークが再発生する前兆現象である溶滴のくびれを検出し、このくびれを検出すると短絡負荷に通電する溶接電流を減少させた後にアークを再発生させるくびれ検出制御を行い、前記溶接電流の平滑値を検出し、この溶接電流平滑値と予め定めた電流設定値とが等しくなるように溶接ワイヤの送給速度をフィードバック制御して溶接する消耗電極アーク溶接制御方法において、
前記短絡ごとに前記くびれの検出時点から前記アークの再発生時点までのくびれ検出期間を検出し、このくびれ検出期間の時間長さが所定範囲外となる回数を所定周期ごとに計数し、この回数が基準回数以上となったときは、前記フィードバック制御の過渡応答時間を長くする、
ことを特徴とする消耗電極アーク溶接制御方法である。
【０００８】
請求項２の発明は、前記過渡応答時間を、前記フィードバック制御のゲインを変化させることによって設定する、
ことを特徴とする請求項１記載の消耗電極アーク溶接制御方法である。
【０００９】
請求項３の発明は、前記過渡応答時間を、前記溶接電流平滑値の時定数を変化させることによって設定する、
ことを特徴とする請求項１記載の消耗電極アーク溶接制御方法である。
【発明の効果】
【００１０】
本発明によれば、くびれ検出制御及び送給速度可変制御を共に動作させて溶接し、溶接開始時は送給速度可変制御の過渡応答時間を高速（短く）に設定している。溶接中に、くびれ検出制御の誤動作が基準の頻度以上で生じたときは、送給速度可変制御の過渡応答時間を低速（長く）に設定することによって誤動作を防止している。これにより、くびれ検出制御の誤動作が生じていないときは、送給速度可変制御の過渡応答時間は高速になるので、くびれ検出制御の効果及び送給速度可変制御の効果を最大限発揮させることができる。また、くびれ検出制御の誤動作が生じる場合には、送給速度可変制御の過渡応答時間を低速にすることによって、送給速度可変制御の効果を落とすことにはなるが、溶接状態が不安定になり不良な溶接品質になることを防止することができる。
【図面の簡単な説明】
【００１１】
【図１】本発明の実施の形態に係る消耗電極アーク溶接制御方法を実施するための溶接電源のブロック図である。
【図２】くびれ検出制御の動作を示す図１の溶接電源における各信号のタイミングチャートである。
【図３】送給速度可変制御の動作を示す図１の溶接電源における各信号のタイミングチャートである。
【発明を実施するための形態】
【００１２】
以下、図面を参照して本発明の実施の形態について説明する。
【００１３】
図１は、本発明の実施の形態に係る消耗電極アーク溶接制御方法を実施するための溶接電源のブロック図である。以下、同図を参照して各ブロックについて説明する。
【００１４】
電源主回路ＰＭは、３相２００Ｖ等の商用電源（図示は省略）を入力として、後述する誤差増幅信号Ｅａに従ってインバータ制御等の出力制御を行い、溶接電圧Ｖｗ及び溶接電流Ｉｗを出力する。この電源主回路ＰＭは、図示は省略するが、商用電源を整流する１次整流器、整流された直流を平滑する平滑コンデンサ、平滑された直流を高周波交流に変換するインバータ回路、高周波交流を溶接に適した電圧値に降圧する高周波変圧器、降圧された高周波交流を直流に整流する２次整流器、整流された直流を平滑するリアクトル、上記の誤差増幅信号Ｅａを入力としてパルス幅変調制御を行う変調回路、パルス幅変調制御信号を入力としてインバータ回路のスイッチング素子を駆動するインバータ駆動回路を備えている。
【００１５】
減流抵抗器Ｒは、上記の電源主回路ＰＭと溶接トーチ４との間に挿入される。この減流抵抗器Ｒの値は、短絡負荷（０．０１〜０．０３Ω程度）の１０倍以上大きな値（０．５〜３Ω程度）に設定される。このために、くびれ検出制御によって減流抵抗器Ｒが通電路に挿入されると、溶接電源内の直流リアクトル及び外部ケーブルのリアクトルに蓄積されたエネルギーが急放電される。トランジスタＴＲは、減流抵抗器Ｒと並列に接続されて、後述する駆動信号Ｄｒに従ってオン又はオフ制御される。
【００１６】
溶接ワイヤ１は、送給モータＷＭに結合された送給ロール５の回転によって溶接トーチ４内を送給されて、母材２との間にアーク３が発生する。溶接ワイヤ１と母材２との間には溶接電圧Ｖｗが印加し、アーク３中を溶接電流Ｉｗが通電する。
【００１７】
電流検出回路ＩＤは、上記の溶接電流Ｉｗを検出して、電流検出信号Ｉｄを出力する。電流平滑回路ＩＡＶは、この電流検出信号Ｉｄを入力として平滑し、溶接電流平滑信号Ｉavを出力する。この平滑は、抵抗とコンデンサから成る平滑回路、ローパスフィルタ等を使用して行われる。ローパスフィルタを使用する場合には、平滑の時定数は、カットオフ周波数を設定することによって行うことができる。電圧検出回路ＶＤは、上記の溶接電圧Ｖｗを検出して、電圧検出信号Ｖｄを出力する。
【００１８】
短絡／アーク判別回路ＳＤは、上記の電圧検出信号Ｖｄを入力として、その値が予め定めた短絡／アーク判別値未満であるときは短絡状態にあると判別してＨｉｇｈレベルとなり、以上のときはアーク発生状態にあると判別してＬｏｗレベルになる短絡／アーク判別信号Ｓｄを出力する。くびれ基準値設定回路ＶＴＮは、後述する送給速度設定信号Ｆｒを入力として、予め定めた関数によってくびれ検出基準値信号Ｖtnを出力する。この関数は、送給速度設定信号Ｆｒの値とそれに適したくびれ検出基準値との関係を定義しており、実験によって算出される。この回路は、送給速度が変化するとくびれ検出基準値の適正値が変化することに対応している。また、溶接法、溶接ワイヤ１の材質、直径等が変化しても、くびれ検出基準値の適正値は変化するので、この回路で溶接条件に応じてくびれ検出基準値を適正化している。くびれ検出回路ＮＤは、このくびれ検出基準値信号Ｖtn、上記の電圧検出信号Ｖｄ、上記の電流検出信号Ｉｄ及び上記の短絡／アーク判別信号Ｓｄを入力として、短絡／アーク判別信号ＳｄがＨｉｇｈレベル（短絡期間）のときの電圧検出信号Ｖｄの変化がくびれ検出基準値信号Ｖtnの値に達した時点でくびれが形成されたと判別してＨｉｇｈレベルとなり、短絡／アーク判別信号ＳｄがＬｏｗレベル（アーク再発生）に変化した時点でＬｏｗレベルになるくびれ検出信号Ｎｄを出力する。また、短絡期間中の電圧検出信号Ｖｄの微分値がそれに対応したくびれ検出基準値信号Ｖtnの値に達した時点でくびれ検出信号ＮｄをＨｉｇｈレベルに変化させるようにしても良い。さらに、電圧検出信号Ｖｄの値を電流検出信号Ｉｄの値で除算して溶滴の抵抗値を算出し、この抵抗値の微分値がそれに対応するくびれ検出基準値信号Ｖtnの値に達した時点でくびれ検出信号ＮｄをＨｉｇｈレベルに変化させるようにしても良い。
【００１９】
低レベル電流設定回路ＩＬＲは、予め定めた低レベル電流設定信号Ｉlrを出力する。電流比較回路ＣＭは、この低レベル電流設定信号Ｉlr及び上記の電流検出信号Ｉｄを入力として、Ｉｄ＜ＩlrのときはＨｉｇｈレベルになり、Ｉｄ≧ＩlrのときはＬｏｗレベルになる電流比較信号Ｃｍを出力する。駆動回路ＤＲは、この電流比較信号Ｃｍ及び上記のくびれ検出信号Ｎｄを入力として、くびれ検出信号ＮｄがＨｉｇｈレベルに変化するとＬｏｗレベルに変化し、その後に電流比較信号ＣｍがＨｉｇｈレベルに変化するとＨｉｇｈレベルに変化する駆動信号Ｄｒを上記のトランジスタＴＲのベース端子に出力する。したがって、この駆動信号Ｄｒはくびれが検出されるとＬｏｗレベルになり、トランジスタＴＲがオフ状態になり通電路に減流抵抗器Ｒが挿入されるので、短絡負荷を通電する溶接電流Ｉｗは急減する。そして、急減した溶接電流Ｉｗの値が低レベル電流設定信号Ｉlrの値まで減少すると、駆動信号ＤｒはＨｉｇｈレベルになり、トランジスタＴＲがオン状態になるので、減流抵抗器Ｒは短絡されて通常の状態に戻る。
【００２０】
電流制御設定回路ＩＣＲは、上記の短絡／アーク判別信号Ｓｄ、上記の低レベル電流設定信号Ｉlr及び上記のくびれ検出信号Ｎｄを入力として、以下の処理を行い、電流制御設定信号Ｉcrを出力する。
１）短絡／アーク判別信号ＳｄがＨｉｇｈレベル（短絡）に変化した時点から予め定めた初期期間中は、予め定めた初期電流設定値を電流制御設定信号Ｉcrとして出力する。
２）その後は、電流制御設定信号Ｉcrの値を、上記の初期電流設定値から予め定めた短絡時傾斜で予め定めたピーク設定値まで上昇させ、その値を維持する。
３）くびれ検出信号ＮｄがＨｉｇｈレベル（くびれ検出）に変化すると、電流制御設定信号Ｉcrの値を低レベル電流設定信号Ｉlrの値に切り換えて維持する。
４）短絡／アーク判別信号ＳｄがＬｏｗレベル（アーク）に変化すると、電流制御設定信号Ｉcrを、予め定めたアーク時傾斜で予め定めた高レベル電流設定値まで上昇させ、その値を維持する。
【００２１】
オフディレイ回路ＴＤＳは、上記の短絡／アーク判別信号Ｓｄを入力として、この信号がＨｉｇｈレベルからＬｏｗレベルに変化する時点を予め定めた遅延時間だけオフディレイさせて遅延信号Ｔdsを出力する。したがって、この遅延信号Ｔdsは、短絡期間になるとＨｉｇｈレベルとなり、アークが再発生してから遅延時間だけオフディレイしてＬｏｗレベルになる信号である。電圧設定回路ＶＲは、アーク期間中の溶接電圧Ｖｗを設定するための予め定めた電圧設定信号Ｖｒを出力する。電流誤差増幅回路ＥＩは、上記の電流制御設定信号Ｉcr（＋）と上記の電流検出信号Ｉｄ（−）との誤差を増幅して、電流誤差増幅信号Ｅｉを出力する。電圧誤差増幅回路ＥＶは、上記の電圧設定信号Ｖｒ（＋）と上記の電圧検出信号Ｖｄ（−）との誤差を増幅して、電圧誤差増幅信号Ｅｖを出力する。制御切換回路ＳＷは、上記の電流誤差増幅信号Ｅｉ、上記の電圧誤差増幅信号Ｅｖ及び上記の遅延信号Ｔdsを入力として、遅延信号ＴdsがＨｉｇｈレベル（短絡開始からアークが再発生して遅延時間が経過するまでの期間）のときは電流誤差増幅信号Ｅｉを誤差増幅信号Ｅａとして出力し、Ｌｏｗレベル（アーク）のときは電圧誤差増幅信号Ｅｖを誤差増幅信号Ｅａとして出力する。この回路により、短絡期間＋遅延期間中は定電流制御となり、それ以外のアーク期間中は定電圧制御となる。
【００２２】
回数係数回路ＮＣは、上記のくびれ検出信号Ｎｄを入力として、このくびれ検出信号ＮｄがＨｉｇｈレベルである時間長さが所定範囲外となった回数を所定周期ごとに係数して、回数信号Ｎｃとして出力する。短絡は、溶接電流平均値に応じて２０〜１００回／秒程度発生する。ここで、溶接電流平均値が２３０Ａの場合とすると、短絡は３０回／秒程度発生する。くびれ検出信号Ｎｄは、１回の短絡ごとにくびれが検出された時点からアークが再発生する時点までのくびれ検出期間の間Ｈｉｇｈレベルとなる。このくびれ検出期間の時間長さをＴｎ（秒）として表記することにする。そして、所定周期を１秒に設定すると、所定周期ごとに、Ｔｎ(１)，…，Ｔｎ(30)のくびれ検出期間を検出することになる。この３０個のくびれ検出期間の中で、所定範囲外となるくびれ検出期間の回数（個数）を計数して出力する。この計数は、所定周期ごとに行われる。３０回の短絡回数は、３０±５回程度は１秒ごとに変動する。所定周期は、０．５〜３秒程度に設定される。所定範囲は、例えば０．１〜１msに設定される。すなわち、くびれ検出期間の時間長さが、０．１〜１msの範囲外にあるときの回数を計数する。くびれ検出期間の時間長さが所定範囲外にあるときとは、くびれを誤検出した場合である。誤検出の大きな要因としては、送給速度可変制御によって送給速度が急峻に変化することによって溶滴のくびれの形成状態が変動することである。所定周期ごとに計数しているのは、送給速度が一定であっても、くびれの誤検出は低い頻度で生じている。くびれの誤検出が低い頻度であれば溶接状態への悪影響は少ない。くびれの誤検出があるレベル以上の頻度で生じると、溶接状態に悪影響を与えることになる。このあるレベル以上の頻度を判別するために、所定周期ごとに計数するようにしている。
【００２３】
回数比較回路ＣＮは、上記の回数信号Ｎｃを入力として、上記の所定周期ごとに変化する回数信号Ｎｃの値が予め定めた基準回数以上のときは短時間Ｈｉｇｈレベルに変化する回数比較信号Ｃｎを出力する。基準回数は、所定周期が１秒のときは３〜１０回程度に設定される。例えば、基準回数を５回とすると、１秒間にくびれの誤検出が５回以上生じたときは、回数比較信号Ｃｎは短時間Ｈｉｇｈレベルになる。
【００２４】
ゲイン設定回路ＧＲは、上記の回数比較信号Ｃｎを入力として、回数比較信号ＣｎがＬｏｗレベルのときは予め定めた高ゲイン設定値となり、Ｈｉｇｈレベルに変化した時点で予め定めた低ゲイン設定値となり溶接終了までそのまま保持されるゲイン設定信号Ｇｒを出力する。低ゲイン設定値＜高ゲイン設定値である。このゲイン設定信号Ｇｒは、送給速度可変制御における、フィードバック制御系のゲインを決める信号である。したがって、ゲインが小さくなると送給速度可変制御の過渡応答時間は長くなり、大きくなると短くなる。すなわち、溶接開始から回数比較信号ＣｎがＬｏｗレベルである期間中は送給速度可変制御の過渡応答は高速（短い）の状態にあり、回数比較信号ＣｎがＨｉｇｈレベルに変化すると送給速度可変制御の過渡応答は定速（長く）になり、溶接終了までその状態を維持する。この過渡応答時間（時定数）が低ゲイン設定値のときは高ゲイン設定値のときよりも少なくとも２倍以上になるように、各ゲインを設定する。例えば、高ゲイン設定値のときの過渡応答時間は１００msであり、低ゲイン設定値のときの過渡応答時間は５００msである。
【００２５】
電流設定回路ＩＲは、送給速度可変制御における目標電流値となる予め定めた電流設定信号Ｉｒを出力する。送給誤差増幅回路ＥＦは、上記のゲイン設定信号Ｇｒを入力として、上記の電流設定信号Ｉｒと上記の溶接電流平滑信号Ｉavとの誤差をゲイン設定信号Ｇｒによって定まるゲインで増幅して、送給誤差増幅信号Ｅｆを出力する。この送給誤差増幅回路ＥＦには、Ｐ制御、ＰＩ制御又はＰＩＤ制御を適用することができる。ここでゲインとは、比例（Ｐ）ゲインである。送給速度設定回路ＦＲは、この送給誤差増幅信号Ｅｆを積分して、送給速度設定信号Ｆｒを出力する。積分は溶接中行われて、Ｆｒ＝Ｆr0＋∫Ｅｆ・ｄｔとなる。ここで、Ｆr0は初期値である。この初期値Ｆr0は、６〜１０m/min程度の範囲で適正値に設定される。上記の電流設定信号Ｉｒの値、溶接ワイヤの材質、直径、及び溶接開始時の給電チップ・母材間距離が定まると送給速度がきまるので、この送給速度を初期値Ｆr0としても良い。送給制御回路ＦＣは、この送給速度設定信号Ｆｒを入力として、この設定値に相当する送給速度で溶接ワイヤ１を送給するための送給制御信号Ｆｃを上記の送給モータＷＭに出力する。
【００２６】
図２は、くびれ検出制御の動作を示す図１の溶接電源における各信号のタイミングチャートである。同図（Ａ）は溶接電流Ｉｗの時間変化を示し、同図（Ｂ）は溶接電圧Ｖｗの時間変化を示し、同図（Ｃ）はくびれ検出信号Ｎｄの時間変化を示し、同図（Ｄ）は駆動信号Ｄｒの時間変化を示し、同図（Ｅ）は遅延信号Ｔdsの時間変化を示し、同図（Ｆ）は電流制御設定信号Ｉcrの時間変化を示す。以下、同図を参照して説明する。
【００２７】
（１）時刻ｔ１の短絡発生から時刻ｔ２のくびれ検出時点までの動作
時刻ｔ１において溶接ワイヤが母材と接触すると短絡状態になり、同図（Ｂ）に示すように、溶接電圧Ｖｗは数Ｖ程度の短絡電圧値に急減する。この溶接電圧Ｖｗが短絡／アーク判別値Ｖta未満になったことを判別して、同図（Ｅ）に示すように、遅延信号ＴdsはＬｏｗレベルからＨｉｇｈレベルに変化する。これに応動して、同図（Ｆ）に示すように、電流制御設定信号Ｉcrは時刻ｔ１において予め定めた高レベル電流設定値から小さな値である予め定めた初期電流設定値に変化する。時刻ｔ１〜ｔ１１の予め定めた初期期間中は上記の初期電流設定値となり、時刻ｔ１１〜ｔ１２の期間中は予め定めた短絡時傾斜で上昇し、時刻ｔ１２〜ｔ２の期間中は予め定めたピーク設定値となる。短絡期間中は上述したように定電流制御されているので溶接電流Ｉｗは電流制御設定信号Ｉcrに相当する値に制御される。このために、同図（Ａ）に示すように、溶接電流Ｉｗは、時刻ｔ１においてアーク期間の溶接電流から急減し、時刻ｔ１〜ｔ１１の初期期間中は初期電流値となり、時刻ｔ１１〜ｔ１２の期間中は短絡時傾斜で上昇し、時刻ｔ１２〜ｔ２の期間中はピーク値となる。同図（Ｂ）に示すように、溶接電圧Ｖｗは、溶接電流Ｉｗがピーク値となる時刻ｔ１２あたりから急上昇する。これは、溶滴にくびれが発生したためである。同図（Ｃ）に示すように、くびれ検出信号Ｎｄは、後述する時刻ｔ２〜ｔ３の期間はＨｉｇｈレベルとなり、それ以外の期間はＬｏｗレベルとなる。同図（Ｄ）に示すように、駆動信号Ｄｒは、後述する時刻ｔ２〜ｔ２１の期間はＬｏｗレベルとなり、それ以外の期間はＨｉｇｈレベルとなる。したがって、同図において時刻ｔ２以前の期間中は、駆動信号ＤｒはＨｉｇｈレベルとなり、図１のトランジスタＴＲがオン状態となるので、減流抵抗器Ｒは短絡されて通常の消耗電極アーク溶接電源と同一の状態となる。上記の初期期間は１ms程度に設定され、初期電流値は５０Ａ程度に設定され、短絡時傾斜は１００〜３００Ａ／ms程度に設定され、ピーク値は３００〜４００Ａ程度に設定される。
【００２８】
（２）時刻ｔ２のくびれ検出時点から時刻ｔ３のアーク再発生時点までの動作
時刻ｔ２において、同図（Ｂ）に示すように、溶接電圧Ｖｗが急上昇して初期期間中の電圧値からの電圧上昇値ΔＶが予め定めたくびれ検出基準値Ｖtnと等しくなったことによってくびれを検出すると、同図（Ｃ）に示すように、くびれ検出信号ＮｄはＨｉｇｈレベルに変化する。これに応動して、同図（Ｄ）に示すように、駆動信号ＤｒはＬｏｗレベルになるので、図１のトランジスタＴＲはオフ状態となり減流抵抗器Ｒが通電路に挿入される。同時に、同図（Ｆ）に示すように、電流制御設定信号Ｉcrは低レベル電流設定信号Ｉlrの値へと小さくなる。このために、同図（Ａ）に示すように、溶接電流Ｉｗはピーク値から低レベル電流値Ｉｌへと急減する。そして、時刻ｔ２１において溶接電流Ｉｗが低レベル電流値Ｉｌまで減少すると、同図（Ｄ）に示すように、駆動信号ＤｒはＨｉｇｈレベルに戻るので、図１のトランジスタＴＲはオン状態となり減流抵抗器Ｒは短絡される。同図（Ａ）に示すように、溶接電流Ｉｗは、電流設定信号Ｉｒが低レベル電流設定信号Ｉlrのままであるので、時刻ｔ３のアーク再発生までは低レベル電流値Ｉｌを維持する。したがって、トランジスタＴＲは、時刻ｔ２にくびれが検出されてから時刻ｔ２１に溶接電流Ｉｗが低レベル電流値Ｉｌに減少するまでの期間のみオフ状態となる。同図（Ｂ）に示すように、溶接電圧Ｖｗは、時刻ｔ２から一旦減少した後に急上昇する。上記の低レベル電流値Ｉｌは３０Ａ程度に設定される。
【００２９】
（３）時刻ｔ３のアーク再発生時点から時刻ｔ４の遅延期間Ｔｄの終了時点までの動作
時刻ｔ３においてアークが再発生すると、同図（Ｂ）に示すように、溶接電圧Ｖｗの値は短絡／アーク判別値Ｖta以上となる。これに応動して、同図（Ｆ）に示すように、電流制御設定信号Ｉcrの値は、低レベル電流設定信号Ｉlrの値から予め定めたアーク時傾斜で上昇し、上記の高レベル電流設定値に達するとその値を維持する。同図（Ｅ）に示すように、遅延信号Ｔdsは、時刻ｔ３にアークが再発生してから予め定めた遅延期間Ｔｄだけ経過する時刻ｔ４までＨｉｇｈレベルのままである。したがって、溶接電源は時刻ｔ４まで定電流制御されているので、同図（Ａ）に示すように、溶接電流Ｉｗは、時刻ｔ３からアーク時傾斜で上昇し、高レベル電流値に達するとその値を時刻ｔ４まで維持する。同図（Ｂ）に示すように、溶接電圧Ｖｗは、時刻ｔ３〜ｔ４の遅延期間Ｔｄ中は高レベル電圧値の状態にある。遅延期間Ｔｄは２ms程度に設定される。同図（Ｃ）に示すように、くびれ検出信号Ｎｄは、時刻ｔ３にアークが再発生するので、Ｌｏｗレベルに変化する。このくびれ検出信号ＮｄがＨｉｇｈレベルである時刻ｔ２〜ｔ３の時間長さを計測し、この時間長さが上記の所定範囲外にあるかを判別して、所定範囲外にあるときは上記の所定周期ごとに計数する。
【００３０】
（４）時刻ｔ４の遅延期間Ｔｄ終了時点から時刻ｔ５の次の短絡発生までのアーク期間の動作
同図（Ｅ）に示すように、遅延信号ＴdsがＬｏｗレベルに変化する。この結果、溶接電源は定電流制御から定電圧制御へと切り換えられる。このために、同図（Ａ）に示すように、溶接電流Ｉｗは高レベル電流値からアーク負荷に応じて次第に減少する。同様に、同図（Ｂ）に示すように、溶接電圧Ｖｗは高レベル電圧値からアーク長が短くなるのに対応して次第に減少する。
【００３１】
このように、くびれ検出制御では、時刻ｔ２にくびれを検出すると通電路に減流抵抗器を挿入することによって溶接電流Ｉｗを急減させて、時刻ｔ３にアークが再発生した時点における電流値を小さな値に制御することができる。このために、スパッタ発生量を大幅に低減することができる。
【００３２】
図３は、送給速度可変制御の動作を示す図１の溶接電源における各信号のタイミングチャートである。同図（Ａ）は給電チップ・母材間距離Ｌｗの時間変化を示し、同図（Ｂ）は送給速度Ｆｗの時間変化を示し、同図（Ｃ）は溶接電流平滑信号Ｉavの時間変化を示す。同図は、溶接中に給電チップ・母材間距離Ｌｗが、時刻ｔ１においてＬ１（mm）からＬ２（mm）へと長くなった場合の送給速度Ｆｗ及び溶接電流平滑信号Ｉavの過渡応答を示している。以下、同図を参照して説明する。
【００３３】
溶接中の時刻ｔ１において溶接トーチと母材との距離を長くすると、同図（Ａ）に示すように、給電チップ・母材間距離ＬｗはＬ１からＬ２へと長くなる。このために、同図（Ｃ）に示すように、溶接電流平滑信号Ｉavの値は、時刻ｔ１から傾斜を有して減少する。これに応動して送給速度可変制御によって溶接電流平滑信号Ｉavの値を一定値に維持しようとして、同図（Ｂ）に示すように、送給速度Ｆｗが時刻ｔ１から傾斜を有して速くなる。溶接電流平滑信号Ｉavの値は、同図（Ｃ）に示すように、時刻ｔ１から減少し、時刻ｔ２において減少から増加へと反転し、時刻ｔ３において時刻ｔ１以前の値に復帰する。送給速度Ｆｗは、時刻ｔ１から速くなり、時刻ｔ２においても速くなり続け、時刻ｔ３において時刻ｔ１以前よりも高速な値に収束する。時刻ｔ１〜ｔ３の時間が、過渡応答時間Ｔ１（秒）となる。この過渡応答時間Ｔ１は、上述したゲイン設定信号Ｇｒの値によって設定されることになる。例えば、ゲイン設定信号Ｇｒの値が高ゲイン設定値であるときはＴ１＝１００msとなり、低ゲイン設定値であるときはＴ１＝５００msとなる。
【００３４】
図２で上述した時刻ｔ１〜ｔ３の短絡期間は４ms程度であり、時刻ｔ３〜ｔ５のアーク期間は２１ms程度である。図３の過渡応答時間Ｔ１は１００〜５００ms程度であるので、この期間中には短絡とアークとを４〜２０回繰り返すことになる。
【００３５】
送給速度可変制御は、給電チップ・母材間距離が変化しても溶接電流平滑値を一定に維持することによって溶け込み深さを均一化するものである。
【００３６】
くびれ検出制御及び送給速度可変制御を共に動作させて溶接を行ったときに、溶接状態が不安定になる場合が生じるのは、以下のような原因からである。溶接中に給電チップ・母材間距離Ｌｗが急峻にかつ大幅に変化すると、送給速度可変制御によって送給速度が急峻に変化することになる。それに伴って溶滴のくびれの形成状態が変動するために、くびれ検出制御が誤動作して溶接状態が不安定になるからである。くびれ検出制御の誤動作とは、くびれ検出期間の時間長さが所定範囲外になり、スパッタ低減効果がほとんどなくなり、かつ、溶滴移行状態も不安定な状態になることである。くびれ検出制御の誤動作が生じるかは、給電チップ・母材間距離Ｌｗの変化の様子、溶接電流平均値、溶接速度等の種々な溶接条件によって異なる。くびれ検出制御の誤動作が生じた場合には、送給速度可変制御の過渡応答時間を低速（長く）すると、送給速度の変化が緩やかになるので、誤動作を防止することができる。しかし、送給速度可変制御の効果を大きくするためには、過渡応答時間は高速（短い）であることが望ましいことは言うまでもない。したがって、本実施の形態によれば、くびれ検出制御及び送給速度可変制御を共に動作させて溶接し、溶接開始時は送給速度可変制御の過渡応答時間を高速に設定している。溶接中に、くびれ検出制御の誤動作が基準の頻度以上で生じたときは、送給速度可変制御の過渡応答時間を低速に設定することによって誤動作を防止している。これにより、くびれ検出制御の誤動作が生じていないときは、送給速度可変制御の過渡応答時間は高速になるので、くびれ検出制御の効果及び送給速度可変制御の効果を最大限発揮させることができる。また、くびれ検出制御の誤動作が生じる場合には、送給速度可変制御の過渡応答時間を低速にすることによって、送給速度可変制御の効果を落とすことにはなるが、溶接状態が不安定になり不良な溶接品質になることを防止することができる。
【００３７】
上述した実施の形態では、送給速度可変制御の過渡応答時間の高速又は低速の切り換えを、送給速度可変制御のフィードバック制御系のゲインを切り換えることで実現している。これ以外にも、送給速度可変制御の過渡応答時間の高速又は低速の切り換えを、溶接電流平滑値の字定数を切り換えることによって行うようにしても良い。この場合には、図１の電流平滑回路ＩＡＶの動作を以下のように変更する。
電流平滑回路ＩＡＶは、電流検出信号Ｉｄ及び回数比較信号Ｃｎを入力として、回数比較信号ＣｎがＬｏｗレベルのときは平滑の時定数を予め定めた第１時定数に設定し、Ｈｉｇｈレベルに変化した時点で平滑の時定数を上記の第１時定数よりも大きな値に予め定めた第２時定数に設定し溶接終了までそのまま保持し、電流検出信号Ｉｄを設定された時定数で平滑して溶接電流平滑信号Ｉavを出力する。
【００３８】
上述した実施の形態では、回数比較信号ＣｎがＨｉｇｈレベルに変化すると、送給速度可変制御の過渡応答時間を拘束から低速へと切り換えている。このときに、回数比較信号ＣｎがＨｉｇｈレベルに変化するごとに高速から所定値だけ低速になるように変化させても良い。例えば、回数比較信号Ｃｎ＝Ｌｏｗレベルのときの過渡応答時間を１００msに設定し、回数比較信号ＣｎがＨｉｇｈレベルに変化するごとに１００＋１００＝２００ms、２００＋１００＝３００msと１００msずつ長くするようにしても良い。
【符号の説明】
【００３９】
１            溶接ワイヤ
２            母材
３            アーク
４            溶接トーチ
５            送給ロール
ＣＭ            電流比較回路
Ｃｍ            電流比較信号
ＣＮ            回数比較回路
Ｃｎ            回数比較信号
ＤＲ            駆動回路
Ｄｒ            駆動信号
Ｅａ            誤差増幅信号
ＥＦ            送給誤差増幅回路
Ｅｆ            送給誤差増幅信号
ＥＩ            電流誤差増幅回路
Ｅｉ            電流誤差増幅信号
ＥＶ            電圧誤差増幅回路
Ｅｖ            電圧誤差増幅信号
ＦＣ            送給制御回路
Ｆｃ            送給制御信号
ＦＲ            送給速度設定回路
Ｆｒ            送給速度設定信号
Ｆr0            初期値
Ｆｗ            送給速度
ＧＲ            ゲイン設定回路
Ｇｒ            ゲイン設定信号
ＩＡＶ            電流平滑回路
Ｉav            溶接電流平滑信号
ＩＣＲ            電流制御設定回路
Ｉcr            電流制御設定信号
ＩＤ            電流検出回路
Ｉｄ            電流検出信号
Ｉｌ            低レベル電流値
ＩＬＲ            低レベル電流設定回路
Ｉlr            低レベル電流設定信号
ＩＲ            電流設定回路
Ｉｒ            電流設定信号
Ｉｗ            溶接電流
Ｌｗ            給電チップ・母材間距離
ＮＣ            回数係数回路
Ｎｃ            回数信号
ＮＤ            くびれ検出回路
Ｎｄ            くびれ検出信号
ＰＭ            電源主回路
Ｒ            減流抵抗器
ＳＤ            短絡／アーク判別回路
Ｓｄ            短絡／アーク判別信号
ＳＷ            制御切換回路
Ｔ１            過渡応答時間
Ｔｄ            遅延期間
ＴＤＳ            オフディレイ回路
Ｔds            遅延信号
ＴＲ            トランジスタ
ＶＤ            電圧検出回路
Ｖｄ            電圧検出信号
ＶＲ            電圧設定回路
Ｖｒ            電圧設定信号
Ｖta            短絡／アーク判別値
ＶＴＮ            くびれ基準値設定回路
Ｖtn            くびれ検出基準（値／信号）
Ｖｗ            溶接電圧
ＷＭ            送給モータ
ΔＶ            電圧上昇値
【図１】
2014024106.tif 000003
【図２】
2014024106.tif 000004
【図３】
2014024106.tif 000005
【手続補正書】
【提出日】平成25年7月29日(2013.7.29)
【手続補正１】
【補正対象書類名】明細書
【補正対象項目名】００２２
【補正方法】変更
【補正の内容】
【００２２】
回数計数回路ＮＣは、上記のくびれ検出信号Ｎｄを入力として、このくびれ検出信号ＮｄがＨｉｇｈレベルである時間長さが所定範囲外となった回数を所定周期ごとに計数して、回数信号Ｎｃとして出力する。短絡は、溶接電流平均値に応じて２０〜１００回／秒程度発生する。ここで、溶接電流平均値が２３０Ａの場合とすると、短絡は３０回／秒程度発生する。くびれ検出信号Ｎｄは、１回の短絡ごとにくびれが検出された時点からアークが再発生する時点までのくびれ検出期間の間Ｈｉｇｈレベルとなる。このくびれ検出期間の時間長さをＴｎ（秒）として表記することにする。そして、所定周期を１秒に設定すると、所定周期ごとに、Ｔｎ(１)，…，Ｔｎ(30)のくびれ検出期間を検出することになる。この３０個のくびれ検出期間の中で、所定範囲外となるくびれ検出期間の回数（個数）を計数して出力する。この計数は、所定周期ごとに行われる。３０回の短絡回数は、３０±５回程度は１秒ごとに変動する。所定周期は、０．５〜３秒程度に設定される。所定範囲は、例えば０．１〜１msに設定される。すなわち、くびれ検出期間の時間長さが、０．１〜１msの範囲外にあるときの回数を計数する。くびれ検出期間の時間長さが所定範囲外にあるときとは、くびれを誤検出した場合である。誤検出の大きな要因としては、送給速度可変制御によって送給速度が急峻に変化することによって溶滴のくびれの形成状態が変動することである。所定周期ごとに計数しているのは、送給速度が一定であっても、くびれの誤検出は低い頻度で生じている。くびれの誤検出が低い頻度であれば溶接状態への悪影響は少ない。くびれの誤検出があるレベル以上の頻度で生じると、溶接状態に悪影響を与えることになる。このあるレベル以上の頻度を判別するために、所定周期ごとに計数するようにしている。
【手続補正２】
【補正対象書類名】明細書
【補正対象項目名】００３７
【補正方法】変更
【補正の内容】
【００３７】
上述した実施の形態では、送給速度可変制御の過渡応答時間の高速又は低速の切り換えを、送給速度可変制御のフィードバック制御系のゲインを切り換えることで実現している。これ以外にも、送給速度可変制御の過渡応答時間の高速又は低速の切り換えを、溶接電流平滑値の時定数を切り換えることによって行うようにしても良い。この場合には、図１の電流平滑回路ＩＡＶの動作を以下のように変更する。
電流平滑回路ＩＡＶは、電流検出信号Ｉｄ及び回数比較信号Ｃｎを入力として、回数比較信号ＣｎがＬｏｗレベルのときは平滑の時定数を予め定めた第１時定数に設定し、Ｈｉｇｈレベルに変化した時点で平滑の時定数を上記の第１時定数よりも大きな値に予め定めた第２時定数に設定し溶接終了までそのまま保持し、電流検出信号Ｉｄを設定された時定数で平滑して溶接電流平滑信号Ｉavを出力する。
【手続補正３】
【補正対象書類名】明細書
【補正対象項目名】００３８
【補正方法】変更
【補正の内容】
【００３８】
上述した実施の形態では、回数比較信号ＣｎがＨｉｇｈレベルに変化すると、送給速度可変制御の過渡応答時間を高速から低速へと切り換えている。このときに、回数比較信号ＣｎがＨｉｇｈレベルに変化するごとに高速から所定値だけ低速になるように変化させても良い。例えば、回数比較信号Ｃｎ＝Ｌｏｗレベルのときの過渡応答時間を１００msに設定し、回数比較信号ＣｎがＨｉｇｈレベルに変化するごとに１００＋１００＝２００ms、２００＋１００＝３００msと１００msずつ長くするようにしても良い。
【手続補正４】
【補正対象書類名】明細書
【補正対象項目名】００３９
【補正方法】変更
【補正の内容】
【００３９】
１            溶接ワイヤ
２            母材
３            アーク
４            溶接トーチ
５            送給ロール
ＣＭ            電流比較回路
Ｃｍ            電流比較信号
ＣＮ            回数比較回路
Ｃｎ            回数比較信号
ＤＲ            駆動回路
Ｄｒ            駆動信号
Ｅａ            誤差増幅信号
ＥＦ            送給誤差増幅回路
Ｅｆ            送給誤差増幅信号
ＥＩ            電流誤差増幅回路
Ｅｉ            電流誤差増幅信号
ＥＶ            電圧誤差増幅回路
Ｅｖ            電圧誤差増幅信号
ＦＣ            送給制御回路
Ｆｃ            送給制御信号
ＦＲ            送給速度設定回路
Ｆｒ            送給速度設定信号
Ｆr0            初期値
Ｆｗ            送給速度
ＧＲ            ゲイン設定回路
Ｇｒ            ゲイン設定信号
ＩＡＶ            電流平滑回路
Ｉav            溶接電流平滑信号
ＩＣＲ            電流制御設定回路
Ｉcr            電流制御設定信号
ＩＤ            電流検出回路
Ｉｄ            電流検出信号
Ｉｌ            低レベル電流値
ＩＬＲ            低レベル電流設定回路
Ｉlr            低レベル電流設定信号
ＩＲ            電流設定回路
Ｉｒ            電流設定信号
Ｉｗ            溶接電流
Ｌｗ            給電チップ・母材間距離
ＮＣ            回数計数回路
Ｎｃ            回数信号
ＮＤ            くびれ検出回路
Ｎｄ            くびれ検出信号
ＰＭ            電源主回路
Ｒ            減流抵抗器
ＳＤ            短絡／アーク判別回路
Ｓｄ            短絡／アーク判別信号
ＳＷ            制御切換回路
Ｔ１            過渡応答時間
Ｔｄ            遅延期間
ＴＤＳ            オフディレイ回路
Ｔds            遅延信号
ＴＲ            トランジスタ
ＶＤ            電圧検出回路
Ｖｄ            電圧検出信号
ＶＲ            電圧設定回路
Ｖｒ            電圧設定信号
Ｖta            短絡／アーク判別値
ＶＴＮ            くびれ基準値設定回路
Ｖtn            くびれ検出基準（値／信号）
Ｖｗ            溶接電圧
ＷＭ            送給モータ
ΔＶ            電圧上昇値